(57)【要約】      （修正有）【課題】管理装置が、所定情報に基づいて、移動通信装置へ特典情報を通知する通信方法、及び移動通信装置を提供する。【解決手段】移動通信装置１００が、特典情報を取得するための所定情報を外部から取得するステップと、移動通信装置が、移動通信装置の動きを検知するステップと、移動通信装置の動きを検知したことに基づいて、所定情報を管理装置２００へ通知するステップと、管理装置が、所定情報に基づいて、移動通信装置へ特典情報を通知するステップと、を備える。【選択図】図３
2019082861.tif 000002
【特許請求の範囲】
【請求項１】
通信方法であって、
前記移動通信装置が、特典情報を取得するための所定情報を外部から取得するステップと、
前記移動通信装置が、前記移動通信装置の動きを検知するステップと、
前記移動通信装置が、前記移動通信装置の動きを検知したことに基づいて、前記所定情報を管理装置へ通知するステップと、
前記管理装置が、前記所定情報に基づいて、前記移動通信装置へ前記特典情報を通知するステップと、を備える通信方法。
【請求項２】
前記移動通信装置が、前記移動通信装置の動きの変化を検知している間に受信した無線信号を所定信号とみなすステップと、
前記移動通信装置が、前記所定信号に基づいて、前記所定情報を取得するステップと、を備える請求項１に記載の通信方法。
【請求項３】
前記通知するステップにおいて、前記移動通信装置が、前記所定信号の受信時刻を示す時間情報と前記移動通信装置の位置情報とを、前記所定情報と共に前記管理装置へ通知し、
前記管理装置が、前記所定情報と前記時間情報と前記位置情報とに基づいて、前記移動通信装置へ前記特典情報を通知すると判定したことに応じて、前記特典情報を前記移動通信装置へ通知する請求項２に記載の通信方法。
【請求項４】
移動通信装置であって、
制御部を備え、
前記制御部は、
特典情報を取得するための所定情報を外部から取得し、
前記移動通信装置の動きを検知し、
前記移動通信装置の動きを検知したことに基づいて、前記所定情報を管理装置へ通知し、
前記所定情報を受信した前記管理装置から前記特典情報を受信するよう構成される移動通信装置。
【請求項５】
移動通信装置を制御するためのプログラムであって、
特典情報を取得するための所定情報を外部から取得する処理と、
前記移動通信装置の動きを検知する処理と、
前記移動通信装置の動きを検知したことに基づいて、前記所定情報を管理装置へ通知する処理と、
前記所定情報を受信した前記管理装置から前記特典情報を受信する処理と、を移動通信装置に実行させるプログラム。
【発明の詳細な説明】
【技術分野】
【０００１】
本開示は、通信方法、及び移動通信装置に関する。
【背景技術】
【０００２】
従来、放送局が放送する放送コンテンツの音声データに、放送日時を含む認証用の情報が重畳されることが知られている（特許文献１参照）。視聴確認装置は、放送コンテンツの音声を集音して、音声データから認証用の情報を取得する。視聴者が特典を交換する場合には、視聴確認装置は、認証用の情報を特典提供装置へ送信する。視聴者は、認証の成功に応じて、特典を取得できる。
【先行技術文献】
【特許文献】
【０００３】
【特許文献１】特開２００９−２７２７２２号公法
【発明の概要】
【０００４】
一の実施形態に係る通信方法は、前記移動通信装置が、特典情報を取得するための所定情報を外部から取得するステップと、前記移動通信装置が、前記移動通信装置の動きを検知するステップと、前記移動通信装置が、前記移動通信装置の動きを検知したことに基づいて、前記所定情報を管理装置へ通知するステップと、前記管理装置が、前記所定情報に基づいて、前記移動通信装置へ前記特典情報を通知するステップと、を備える。
【図面の簡単な説明】
【０００５】
【図１】図１は、通信システムの構成の一例を説明する図である。
【図２】図２は、移動通信装置１００、特典管理装置２００、及び情報提供装置３００のブロック図である。
【図３】図３は、実施形態に係る動作例１を説明するためのシーケンス図である。
【図４】図４は、実施形態に係る動作例２を説明するためのシーケンス図である。
【図５】図５は、実施形態に係る動作例３を説明するためのシーケンス図である。
【発明を実施するための形態】
【０００６】
［実施形態の概要］
一の実施形態に係る通信方法は、前記移動通信装置が、特典情報を取得するための所定情報を外部から取得するステップと、前記移動通信装置が、前記移動通信装置の動きを検知するステップと、前記移動通信装置が、前記移動通信装置の動きを検知したことに基づいて、前記所定情報を管理装置へ通知するステップと、前記管理装置が、前記所定情報に基づいて、前記移動通信装置へ前記特典情報を通知するステップと、を備える。
【０００７】
前記通信方法は、前記移動通信装置が、前記移動通信装置の動きの変化を検知している間に受信した無線信号を所定信号とみなすステップと、前記移動通信装置が、前記所定信号に基づいて、前記所定情報を取得するステップと、を備えてもよい。
【０００８】
前記通知するステップにおいて、前記移動通信装置が、前記所定信号の受信時刻を示す時間情報と前記移動通信装置の位置情報とを、前記所定情報と共に前記管理装置へ通知してもよい。前記管理装置が、前記所定情報と前記時間情報と前記位置情報とに基づいて、前記移動通信装置へ前記特典情報を通知すると判定したことに応じて、前記特典情報を前記移動通信装置へ通知してもよい。
【０００９】
一の実施形態に係る移動通信装置は、制御部を備える。前記制御部は、特典情報を取得するための所定情報を外部から取得し、前記移動通信装置の動きを検知し、前記移動通信装置の動きを検知したことに基づいて、前記所定情報を管理装置へ通知し、前記所定情報を受信した前記管理装置から前記特典情報を受信するよう構成される。
【００１０】
一の実施形態に係るプログラムは、移動通信装置を制御するためのプログラムである。前記プログラムは、特典情報を取得するための所定情報を外部から取得する処理と、前記移動通信装置の動きを検知する処理と、前記移動通信装置の動きを検知したことに基づいて、前記所定情報を管理装置へ通知する処理と、前記所定情報を受信した前記管理装置から前記特典情報を受信する処理と、を移動通信装置に実行させる。
【００１１】
［実施形態］
（通信システム概要）
実施形態にかかる通信システムの一例について、図１及び図２を用いて説明する。図１は、通信システムの構成の一例を説明する図である。
【００１２】
図１に示すように、通信システムは、移動通信装置１００、特典管理装置２００、及び、情報提供装置３００を備える。通信システムは、送信装置４００を備えてもよい。通信システムは、ユーザ管理装置５００を備えてもよい。
【００１３】
移動通信装置１００は、ユーザが持ち運び可能な通信装置（例えば、ユーザ装置（ＵＥ：Ｕｓｅｒ  Ｅｑｕｉｐｍｅｎｔ）である。移動通信装置１００は、例えば、携帯電話（例えば、スマートフォン）、タブレット、又は、モバイルパーソナルコンピュータなどである。移動通信装置１００は、ネットワーク（インターネット）を介して特典管理装置２００と通信を行う。
【００１４】
特典管理装置２００は、特典情報を管理する装置（サーバ）である。特典管理装置２００は、ネットワークを介して移動通信装置１００と通信を行う。特典管理装置２００は、ネットワークを介して情報提供装置３００とネットワークを介して通信を行う。
【００１５】
情報提供装置３００は、後述する情報を特典管理装置２００へ提供する装置である。情報提供装置３００は、特典管理装置２００とネットワークを介して通信を行う。
【００１６】
送信装置４００は、所定信号を送信する装置である。所定信号は、例えば、移動通信装置１００の位置を特定するためのものである。所定信号は、例えば、所定信号の受信により位置情報を取得できる信号であってもよい。送信装置４００が特定の地理的な位置に置かれることにより、所定信号を受信できた移動通信装置１００の位置が特定できてもよい。
【００１７】
所定信号は、例えば、移動通信装置１００の地理的な位置を示す位置情報を得るための無線信号である。当該無線信号は、例えば、ＧＮＳＳ（Ｇｌｏｂａｌ  Ｎａｖｉｇａｔｉｏｎ  Ｓａｔｅｌｌｉｔｅ  Ｓｙｓｔｅｍ）の利用により送信（受信）される信号である。例えば、ＧＰＳ（Ｇｌｏｂａｌ  Ｐｏｓｉｔｉｏｎｉｎｇ  Ｓｙｓｔｅｍ）、ＧＬＯＮＡＳＳ（Ｇｌｏｂａｌ  Ｎａｖｉｇａｔｉｏｎ  Ｓａｔｅｌｌｉｔｅ  Ｓｙｓｔｅｍ）、ＱＺＳＳ（Ｑｕａｓｉ−Ｚｅｎｉｔｈ  Ｓａｔｅｌｌｉｔｅ  Ｓｙｓｔｅｍ）、ＢｅｉＤｏｕ（ＢｅｉＤｏｕ  Ｎａｖｉｇａｔｉｏｎ  Ｓａｔｅｌｌｉｔｅ  Ｓｙｓｔｅｍ）、Ｇａｌｉｌｅｏ、ＩＲＮＳＳ（Ｉｎｄｉａｎ  Ｒｅｇｉｏｎａｌ  Ｎａｖｉｇａｔｉｏｎａｌ  Ｓａｔｅｌｌｉｔｅ  Ｓｙｓｔｅｍ）などのいずれかのシステムが利用されてもよい。従って、送信装置４００は、通信衛星であってもよい。
【００１８】
所定信号は、参照信号、又はビーコン信号であってもよい。所定信号は、送信装置４００を識別するための識別子を含んでもよい。従って、送信装置４００は、基地局、ＷＬＡＮ（Ｗｉｒｅｌｅｓｓ  Ｌｏｃａｌ  Ａｒｅａ  Ｎｅｔｗｏｒｋ）アクセスポイントなどの無線信号を介した通信を行う地上に設置されたノードであってもよい。所定信号をジオフェンシングとして利用することにより、移動通信装置１００が所定のエリア内に存在する／存在しないことを移動通信装置１００が判定してもよい。
【００１９】
移動通信装置１００は、無線信号（例えば、参照信号、ビーコン信号、ｂｌｕｅｔｏｏｔｈ（登録商標）信号など）を送信するノード（例えば、通信衛星、基地局、ＷＬＡＮアクセスポイントの少なくともいずれかなど）から、移動通信装置１００の位置情報を取得してもよい。当該ノードは、送信装置４００であってもよい。当該ノードは、所定信号を送信する送信装置４００と異なってもよい。すなわち、移動通信装置１００は、位置情報の取得先と、所定信号（後述する所定情報）の取得先とが異なってもよい。
【００２０】
所定信号は、音、超音波、及び光の少なくともいずれかであってもよい。所定信号は、所定の波形パターン（フィンガープリント）により構成されてもよい。所定の波形パターン（フィンガープリント）は、波長、周波数、振動数の少なくともいずれかにより特徴付けられるものである。所定信号は、ウォーターマークが埋め込まれた信号により構成されてもよい。所定信号は、例えば、超音波によるコード埋め込みによりウォーターマークが埋め込まれた信号により構成されてもよい。所定信号は、例えば、光の明暗によるコード埋め込みによりウォーターマークが埋め込まれた信号により構成されてもよい。所定信号は、所定の振動数を有する信号により構成されてもよい。
【００２１】
所定信号が音である場合、送信装置４００は、スピーカ（を備えた装置）であってもよい。所定信号が光である場合、送信装置４００は、ライト及び／又はディスプレイ（を備えた装置）であってもよい。送信装置４００は、ユーザとのコミュニケーションができる機能（例えば、ＡＩ（Ａｒｔｉｆｉｃｉａｌ  Ｉｎｔｅｌｌｉｇｅｎｃｅ）機能、ボットなど）を備えていてもよい。例えば、送信装置４００は、ユーザ（又は移動通信装置１００）の認識、及び／又はユーザの呼びかけに応じて、所定信号（例えば、音及び／又は光）の送信を開始してもよい。
【００２２】
所定信号は、移動通信装置１００が備える画像（映像）認識機能（例えば、カメラ、ビデオカメラなど）により所定情報を取得可能となる信号であってもよい。例えば、所定信号は、画像認識機能により認識される特定の被写体（例えば、特定の風景、人工物、画像（映像・写真）、イラスト、ロゴマークなど）を認識するための信号であってもよい。
【００２３】
ユーザ管理装置５００は、ユーザ及び／又は移動通信装置１００の情報を管理する装置（サーバ）である。ユーザ管理装置５００は、ユーザ（移動通信装置１００）を登録するための登録手続きを実行してもよい。ユーザ管理装置５００は、ユーザが登録されているか否かを判定（認証）してもよい。
【００２４】
次に、移動通信装置１００、特典管理装置２００、及び情報提供装置３００について、図２を用いて説明する。図２は、移動通信装置１００、特典管理装置２００、及び情報提供装置３００のブロック図である。なお、ユーザ管理装置５００のブロック図は、特典管理装置２００と同様の構成であるため説明を省略する。
【００２５】
図２に示すように、移動通信装置１００は、受信機（受信部）１１０、送信機（送信部）１２０、プロセッサ１３０、メモリ１４０、及びユーザインターフェイス１５０を備える。受信機１１０と送信機１２０とは、一体化された送受信機（送受信部）であってもよい。プロセッサ１３０は、コントローラ（制御部）を構成してもよい。プロセッサ１３０とメモリ１４０とが一体化され、このセット（すなわち、チップセット）がコントローラを構成してもよい。
【００２６】
受信機１１０は、プロセッサ１３０の制御下で各種の受信を行う。受信機１１０は、アンテナを含む。受信機１１０は、アンテナが受信する無線信号をベースバンド信号（受信信号）に変換する。受信機１１０は、ベースバンド信号をプロセッサ１３０に出力する。
【００２７】
送信機１２０は、プロセッサ１３０の制御下で各種の送信を行う。送信機１２０は、アンテナを含む。送信機１２０は、プロセッサ１３０が出力するベースバンド信号（送信信号）を無線信号に変換する。送信機１２０は、無線信号をアンテナから送信する。
【００２８】
プロセッサ１３０は、移動通信装置１００における各種の制御を行う。メモリ１４０は、プロセッサ１３０により実行されるプログラム、及びプロセッサ１３０による処理に使用される情報を記憶する。プロセッサ１３０は、ベースバンドプロセッサとＣＰＵ（Ｃｅｎｔｒａｌ  Ｐｒｏｃｅｓｓｉｎｇ  Ｕｎｉｔ）とを含む。ベースバンドプロセッサは、例えば、ベースバンド信号の変調・復調及び符号化・復号化を行う。ＣＰＵは、メモリ１４０に記憶されるプログラムを実行することにより、各種の処理を行う。プロセッサ１３０は、後述する各種の処理及び上述した各種の通信プロトコルを実行する。
【００２９】
ユーザインターフェイス１５０は、移動通信装置１００を所持するユーザとのインターフェイスである。ユーザインターフェイス１５０は、例えば、ディスプレイ、マイク、スピーカ、及び各種ボタンなどを含んでもよい。ユーザインターフェイス１５０は、ユーザからの操作を受け付けて、該操作の内容を示す信号をプロセッサ１３０に出力してもよい。
【００３０】
移動通信装置１００は、移動通信装置１００の地理的な位置を示す位置情報を取得するための受信機を備えていてもよい。例えば、移動通信装置１００は、位置情報を取得するためのＧＮＳＳ受信機を備えていてもよい。ＧＮＳＳ受信機は、受信したＧＮＳＳ信号をプロセッサ１３０に出力する。プロセッサ１３０は、ＧＮＳＳ信号に基づいて、移動通信装置１００の地理的な位置を示す位置情報を取得する制御を実行してもよい。
【００３１】
移動通信装置１００は、移動通信装置１００の動き（すなわち、移動通信装置１００を保持するユーザの動作（動き））を検知するためのセンサ１６０を備える。センサは、移動通信装置１００の加速度、移動通信装置１００の角速度、移動通信装置１００の傾き、及び、移動通信装置１００の方向（の変化）の少なくともいずれかを検知できる。
【００３２】
移動通信装置１００は、センサ１６０として、例えば、モーションセンサ、加速度センサ、ジャイロセンサの少なくともいずれかを備えてもよい。センサ１６０（例えば、加速度センサ）は、ユーザが移動通信装置１００を振ることに応じた移動通信装置１００の加速度の変化を検知してもよい。加速度センサ１６０は、検知した加速度（の変化）を示す信号をプロセッサ１３０に出力する。プロセッサ１３０は、当該信号に基づいて、移動通信装置１００（ユーザ）の動きを検知できる。
【００３３】
移動通信装置１００は、所定信号を受信するための受信機（センサ）を備える。例えば、受信機は、所定信号として、超音波及び／又は光を受信できる。移動通信装置１００は、他の無線通信装置（例えば、基地局、通信デバイス）と通信するための受信機とは別に、所定信号を受信するための受信機を備えていてもよい。所定信号を受信するための受信機は、所定信号が音である場合、音声を受信するための音声取得デバイス（例えば、マイク）であってもよい。所定信号を受信するための受信機は、所定信号が光である場合、光を受信するための画像認識機能を備えたデバイスであってもよい。
【００３４】
移動通信装置１００は、移動通信装置１００の各ブロックに電力を供給するバッテリを備えてもよい。移動通信装置１００は、バッテリの代わりに電力供給部を備えていてもよい。移動通信装置１００（の各ブロック）には、電力供給部により外部から電力が供給されてもよい。
【００３５】
本明細書では、移動通信装置１００が備える受信機１１０、送信機１２０、プロセッサ１３０、メモリ１４０、ユーザインターフェイス１５０、及び、センサ１６０のうち少なくともいずれかが実行する処理を、便宜上、移動通信装置１００が実行する処理（動作）として説明する。
【００３６】
図２に示すように、特典管理装置２００は、ネットワーク通信部２１０、プロセッサ２３０、及びメモリ２４０を備える。プロセッサ２３０は、コントローラ（制御部）を構成してもよい。プロセッサ２３０とメモリ２４０とが一体化され、このセット（すなわち、チップセット）がコントローラを構成してもよい。
【００３７】
ネットワーク通信部２１０は、インターネットを介して他の通信装置と通信するために用いられる。ネットワーク通信部２１０は、無線送受信機（無線送信機及び／又は無線受信機）により構成されてもよい。
【００３８】
プロセッサ２３０は、特典管理装置２００における各種の制御を行う。メモリ２４０は、プロセッサ２３０により実行されるプログラム、及びプロセッサ２３０による処理に使用される情報を記憶する。プロセッサ２３０及びメモリ２４０の説明は、上述の記載と同様であるため、説明を省略する。なお、メモリ２４０には、後述する情報を管理するためのデータベースが記憶可能であってもよい。
【００３９】
特典管理装置２００は、ユーザインターフェイスを備えていてもよい。特典管理装置２００は、特典管理装置２００の各ブロックに電力を供給するバッテリ又は電力供給部を備えてもよい。
【００４０】
図２に示すように、情報提供装置３００は、ネットワーク通信部３１０、プロセッサ３３０、及びメモリ３４０を備える。情報提供装置３００の構成は、特典管理装置２００と同様であるため、説明を省略する。なお、メモリ３４０には、特許管理装置２００と同様に、後述する情報を管理するためのデータベースが記憶可能であってもよい。
【００４１】
本明細書では、特典管理装置２００が備えるネットワーク通信部２１０、プロセッサ２３０、及びメモリ２４０のうち少なくともいずれかが実行する処理を、便宜上、特典管理装置２００が実行する処理（動作）として説明する。情報提供装置３００も同様である。
【００４２】
（実施形態に係る動作）
（動作例１）
実施形態に係る動作例１について、図３を用いて説明する。図３は、実施形態に係る動作例１を説明するためのシーケンス図である。
【００４３】
図３に示すように、ステップＳ１１０において、情報提供装置３００は、トリガ情報を特典管理装置２００へ通知する。特典管理装置２００は、トリガ情報を受信する。
【００４４】
トリガ情報は、移動通信装置１００が後述する特典情報の要求を通知（送信）するためのトリガ（条件）を示す情報である。
【００４５】
トリガ情報は、所定信号（すなわち、特典情報を所得するために受信すべき所定信号）に関する情報を含んでいてもよい。所定信号に関する情報は、例えば、所定信号が送信される時間（継続時間及び／又は時間帯）及び／又は所定信号を受信可能である地理的な位置を示す情報を含んでもよい。所定信号に関する情報は、所定信号を示す情報を含んでいてもよい。所定信号を示す情報は、例えば、所定信号が移動通信装置１００の（現在の）地理的な位置を示す位置情報を取得するための信号（例えば、ＧＮＳＳ信号）であることを示す情報である。所定信号を示す情報は、所定信号の特徴（例えば、所定の波形パターン（フィンガープリント）及び／又は所定の振動数）を示す情報であってもよい。所定信号を示す情報は、画像認識機能により認識される特定の被写体を示す情報であってもよい。
【００４６】
トリガ情報は、ユーザの動作に関するユーザ動作情報を含んでいてもよい。ユーザ動作情報は、例えば、移動通信装置１００が移動通信装置１００の動き（例えば、加速度）を検知するためにユーザ動作を行う時間（継続時間）及び／又はユーザ動作を行う時間帯を示す情報を含んでいてもよい。ユーザ動作情報は、移動通信装置１００の動き（例えば、加速度）に関する情報を示す情報（例えば、閾値）を含んでいてもよい。
【００４７】
トリガ情報は、特典情報の内容を示す情報を含んでいてもよい。
【００４８】
情報提供装置２００は、トリガ情報と共に特典情報を特典管理装置２００へ通知してもよい。
【００４９】
ステップＳ１２０において、特典管理装置２００は、トリガ情報を移動通信装置１００へ通知する。移動通信装置１００は、トリガ情報を受信する。
【００５０】
移動通信装置１００は、トリガ情報を特典管理装置２００へ要求してもよい。移動通信装置１００は、所定のアプリケーションが起動されたことに応じて、トリガ情報を特典管理装置２００へ要求してもよい。移動通信装置１００は、所定のアプリケーションにおいて、ユーザがトリガ情報を要求する操作が入力されたことに応じて、トリガ情報を特典管理装置２００へ要求してもよい。特典管理装置２００は、移動通信装置１００からの要求に応じて、トリガ情報を移動通信装置１００へ通知してもよい。
【００５１】
所定のアプリケーションは、特典情報をユーザへ提供するための機能を有するものである。所定のアプリケーションは、他の機能を有してもよい。例えば、所定のアプリケーションは、ユーザへ音声（ラジオ、通話など）を提供する機能を有してもよい。所定のアプリケーションは、ユーザへ映像（テレビ、テレビ通話など）を提供する機能を有してもよい。
【００５２】
ステップＳ１３０において、送信装置４００は、所定信号を送信する。移動通信装置１００は、所定信号を受信する。送信装置４００は、所定信号を送信するための情報をネットワークを介して受信してもよい。例えば、送信装置４００は、ウォーターマークが埋め込まれた所定信号のデータを特典管理装置２００から受信してもよい。送信装置４００は、受信したデータに基づいて、所定信号を送信してもよい。
【００５３】
送信装置４００は、特典管理装置２００及び／又は情報提供装置３００からの送信タイミングを指定する信号を受信してもよい。送信装置４００は、指定された送信タイミングで所定信号の送信を開始してもよい。送信装置４００は、当該信号の受信をトリガとして、所定信号の送信を開始してもよい。
【００５４】
移動通信装置１００は、所定信号に関する情報に基づいて、所定信号を受信可能である地理的な位置をユーザインターフェイスに１５０に表示してもよい。これにより、所定信号を受信可能な位置への移動をユーザへ促すことができる。
【００５５】
移動通信装置１００は、トリガ情報に基づいて、所定信号の受信動作を実行してもよい。例えば、移動通信装置１００は、所定信号が送信される時間の間、所定信号の受信動作を実行してもよい。移動通信装置１００は、所定のアプリケーションが起動されている（起動中である）ことに応じて、所定信号の受信動作を開始してもよい。移動通信装置１００は、所定のアプリケーションが終了したことに応じて、所定信号の受信動作を終了してもよい。
【００５６】
移動通信装置１００は、ユーザの動作、すなわち、移動通信装置１００の動き（例えば、移動通信装置１００の加速度、角速度、傾き、方向の少なくともいずれかの変化）を検知したことに応じて、所定信号の受信動作を実行してもよい。以下において、加速度を例に挙げて説明するが、ユーザの動作、すなわち、移動通信装置１００の動きを示すパラメータ（例えば、移動通信装置１００の角速度、傾き、方向など）の少なくともいずれかに置き換えられてもよい。
【００５７】
移動通信装置１００は、例えば、移動通信装置１００が振られたことを示す加速度が検知されたことに応じて、所定信号の受信動作を実行してもよい。移動通信装置１００は、移動通信装置１００の加速度の変化を検知している間に受信した無線信号を所定信号とみなしてもよい。
【００５８】
移動通信装置１００は、所定のアプリケーションが起動中において、ユーザの動作を促す画面（ポップアップ）をユーザインターフェイスに１５０に表示してもよい。移動通信装置１００は、移動通信装置１００において音声機能が実行中である場合に、当該画面をユーザインターフェイスに１５０に表示してもよい。移動通信装置１００は、移動通信装置１００において映像機能が実行中である場合には、当該画面をユーザインターフェイスに１５０に表示しなくてもよい。なお、移動通信装置１００は、ユーザの動作を促す画面を表示する代わりに（又は当該画面を表示する共に）ユーザの動作を促す音声を出力してもよい。
【００５９】
移動通信装置１００は、所定信号を示す情報に基づいて、所定信号を受信してもよい。所定信号がＧＮＳＳ信号を示す場合、移動通信装置１００は、ＧＮＳＳ信号を受信する。これにより、移動通信装置１００は、移動通信装置１００の地理的な位置を示す位置情報を取得できる。
【００６０】
移動通信装置１００は、画像認識機能により認識される特定の被写体を認識することにより所定信号を受信したとみなしてもよい。或いは、ユーザが、画像認識機能により得られた画像が特定の被写体を含むことにより所定信号を受信したとみなしてもよい。移動通信装置１００は、認識した被写体が記録された画像データを所定情報として取得してもよい。移動通信装置１００は、被写体を認識することにより移動通信装置１００のユーザインターフェイス１５０に表示された画像データを所定情報として取得してもよい。移動通信装置１００は、ＶＲ（Ｖｉｒｔｕａｌ  Ｒｅａｌｉｔｙ）機能又はＡＲ（Ａｕｇｍｅｎｔｅｄ  Ｒｅａｌｉｔｙ：拡張現実）機能により当該画像データを所定情報として取得してもよい。
【００６１】
移動通信装置１００は、所定信号に関する情報を記憶してもよい。例えば、移動通信装置１００は、所定信号の受信時刻を示す情報を記憶してもよい。
【００６２】
移動通信装置１００は、所定信号の特徴を記憶してもよい。移動通信装置１００は、例えば、所定の波形パターン及び／又は所定の振動数を記憶してもよい。移動通信装置１００は、所定信号が音声である場合、所定信号の音声データを記憶してもよい。移動通信装置１００は、移動通信装置１００の加速度の変化を検知している間に受信した無線信号を所定信号の特徴として記憶してもよい。
【００６３】
ステップＳ１４０において、移動通信装置１００は、特典情報の要求を通知（送信）するためのトリガ（条件）が満たされたか否かを判定する。
【００６４】
移動通信装置１００は、ユーザの動作が検知されたか否かを判定する。具体的には、移動通信装置１００は、移動通信装置１００の加速度が検知されたか否かを判定する。移動通信装置１００は、移動通信装置１００が振られたことを検知したことに応じて、ユーザの動作が検知された（加速度が検知された）と判定してもよい。移動通信装置１００は、所定のアプリケーションが起動されている場合に検知された加速度のみに応じて、ユーザの動作が検知されたと判定してもよい。移動通信装置１００は、所定のアプリケーションにおいて、特典情報を取得するためにユーザが所定の操作を入力し、かつ、加速度が検知されたことに応じて、ユーザの動作が検知されたと判定してもよい。
【００６５】
移動通信装置１００は、移動通信装置１００の動きが閾値を超えたことに応じて、ユーザの動作が検知されたと判定してもよい。移動通信装置１００は、例えば、移動通信装置１００の加速度の変化が閾値を超えた場合に、ユーザの動作が検知されたと判定してもよい。そうでない場合には、ユーザの動作が検知されないと判定してもよい。閾値は、トリガ情報に含まれてもよい。閾値は、登録手続において受信してもよい。閾値は、ユーザが設定できてもよい。
【００６６】
移動通信装置１００は、ユーザ動作情報に基づいて、ユーザの動作が検知されたか否かを判定してもよい。移動通信装置１００は、ユーザ動作情報により示された条件が満たされたことに応じて、ユーザの動作が検知されたと判定してもよい。
【００６７】
なお、所定のアプリケーションの情報にユーザ動作情報が含まれていてもよい。移動通信装置１００は、所定のアプリケーションをダウンロードすることにより、ユーザ動作情報を取得してもよい。
【００６８】
移動通信装置１００は、所定信号を受信したか否かを判定する。移動通信装置１００は、所定信号に関する情報に基づいて、所定信号を受信したか否かを判定してもよい。移動通信装置１００は、所定信号の受信により位置情報が取得されたことに応じて、所定信号を受信したと判定してもよい。
【００６９】
移動通信装置１００は、所定信号の受信により位置情報が取得されたことに応じて、所定信号を受信したと判定してもよい。移動通信装置１００は、トリガ情報に含まれる所定信号を示す情報により示される所定信号の特徴と、受信した所定信号の特徴とが一致したことに応じて、所定信号を受信したと判定してもよい。
【００７０】
移動通信装置１００は、ユーザの動作の検知及び所定信号の受信に応じて、ステップＳ１５０の処理を実行する。すなわち、移動通信装置１００は、ユーザの動作が検知されたと判定したこと、かつ、所定信号が受信されたと判定したことに応じて、ステップＳ１５０の処理を実行する。
【００７１】
移動通信装置１００は、所定のアプリケーションが起動している場合にユーザの動作の検知及び所定信号の受信があったことに応じて、ステップＳ１５０の処理を実行してもよい。移動通信装置１００は、所定のアプリケーションにより実行される機能が実行中である場合にユーザの動作の検知及び所定信号の受信があったことに応じて、ステップＳ１５０の処理を実行してもよい。移動通信装置１００は、例えば、所定のアプリケーションにより音声機能及び／又は映像機能が実行中である場合にユーザの動作の検知及び所定信号の受信があったことに応じて、ステップＳ１５０の処理を実行してもよい。
【００７２】
移動通信装置１００は、所定のアプリケーションにより音声機能及び／又は映像機能が実行中である場合に、当該音声機能及び／又は映像機能により、ユーザの動作の検知及び／又は所定信号の受信（モニタ）が開始されてもよい。例えば、移動通信装置１００は、所定のアプリケーションにおいて、特定の音声及び／又は特定の映像が出力されたことを検知して、ユーザの動作の検知及び／又は所定信号の受信（モニタ）が開始されてもよい。従って、所定のアプリケーションを利用しているユーザの移動通信装置１００のみが、ステップＳ１５０を実行できてもよい。
【００７３】
移動通信装置１００は、例えば、所定のアプリケーションが起動している場合であっても、音声機能及び／又は映像機能が実行中でない場合にユーザの動作の検知及び所定信号の受信があったことに応じて、ステップＳ１５０の処理を実行しなくてもよい。
【００７４】
以上のように、移動通信装置１００は、移動通信装置１００の動きを検知したことに応じて、ステップＳ１５０の処理を実行してもよい。移動通信装置１００は、移動通信装置１００の動きを検知したことを条件（トリガ）とするだけでなく、他の条件（トリガ）が満たされた場合に、ステップＳ１５０の処理を実行してもよい。移動通信装置１００は、例えば、以下の少なくともいずれかをステップＳ１５０の処理のトリガとしてもよい。
【００７５】
・所定のアプリケーションの起動
・画像認識機能（例えば、カメラ）の起動
・音声認識機能（例えば、マイク）の起動
・移動通信装置１００が所定の地理的な位置（エリア）に存在する（ジオフェンシング）
・画像（映像）コンテンツの再生
・現在の時間が特典情報の要求を送信可能な時間（時刻）である
【００７６】
一方、移動通信装置１００は、加速度の検知及び所定信号の受信の少なくとも一方が実行されていない場合には、ステップＳ１５０の処理を実行しなくてもよい。
【００７７】
ステップＳ１５０において、移動通信装置１００は、特典情報の要求（メッセージ）を特典管理装置２００へ通知する。
【００７８】
移動通信装置１００は、特典情報の要求に装置情報を含める。移動通信装置１００は、装置情報として特典情報を取得するための所定情報を特典情報の要求に含める。所定情報は、移動通信装置１００の位置情報を含んでいてもよい。所定情報は、例えば、所定信号の特徴を示す情報（音声データ、波形パターン、音声ウォーターマーク、光ウォーターマーク、画像データ又は振動数など）を含んでいてもよい。
【００７９】
移動通信装置１００は、特典情報の要求に、装置情報として、以下の少なくともいずれかの情報を含めることができる。
【００８０】
・移動通信装置１００の識別子
・移動通信装置１００の位置情報
・所定信号の受信時刻を示す時間情報
・ユーザデータ
【００８１】
ユーザデータは、移動通信装置１００に記憶されたユーザに関する情報である。ユーザデータは、例えば、ユーザの氏名、ユーザの年齢、ユーザの性別、ユーザの住所、ユーザが使用する言語（例えば、所定のアプリケーションで表示される言語）、ユーザの興味、ユーザの国籍、移動通信装置１００が存在する地域（国）などの少なくともいずれかの情報である。ユーザデータは、後述するように、特典管理装置２００に事前に登録された情報（登録ＩＤ、パスワードなど）を含んでいてもよい。
【００８２】
移動通信装置１００の位置情報は、所定信号により取得された所定情報であってもよい。位置情報は、所定信号に関係なく取得されたものであってもよい（例えば、所定信号が位置情報を取得するための信号でないケース）。
【００８３】
ステップＳ１６０において、特典管理装置２００は、移動通信装置１００（ユーザ）を認証するか否か（特典情報を通知するか否か）を判定する。特典管理装置２００は、特典情報の要求に基づいて、判定を行ってもよい。
【００８４】
特典管理装置２００は、所定情報に基づいて、判定できる。特典管理装置２００は、所定情報が認証用の情報と一致するか否かを判定する。
【００８５】
特典管理装置２００は、例えば、送信装置４００により送信される所定信号に含まれる波形パターン（フィンガープリント）を記憶している。特典管理装置２００は、記憶されたフィンガープリントと所定情報に含まれる波形パターンとが一致する場合には、移動通信装置１００を認証すると判定する。特典管理装置２００は、記憶されたフィンガープリントと所定情報に含まれる波形パターンとが一致しない場合には、移動通信装置１００を認証しないと判定する。特典管理装置２００は、送信装置４００が送信する無線信号のフィンガープリントを記憶しておけば、ウォーターマークが埋め込まれた特殊な所定信号を送信できなくても、認証するか否かを判定することができる。
【００８６】
特典管理装置２００は、例えば、送信装置４００により送信される所定信号に含まれるウォーターマークを記憶している。特典管理装置２００は、記憶されたウォーターマークと所定情報に含まれるウォーターマークとが一致する場合には、移動通信装置１００を認証すると判定する。特典管理装置２００は、記憶されたウォーターマークと所定情報に含まれるウォーターマークとが一致しない場合には、移動通信装置１００を認証しないと判定する。ウォーターマークは移動通信装置１００が所定信号を受信した環境の影響を受けにくいため、認証の精度を向上させることができる。
【００８７】
特典管理装置２００は、所定情報が画像データを含む場合も同様に、移動通信装置１００を認証するか否かを判定できる。当該画像データが、特典管理装置２００に記憶されたフィンガープリント及び／又はウォーターマークとしての被写体（又はＶＲ機能／ＡＲ機能により取得された特定の画像）を示すものである場合には、移動通信装置１００を認証すると判定する。そうでない場合には、特典管理装置２００は、移動通信装置１００を認証しないと判定する。
【００８８】
特典管理装置２００は、例えば、位置情報と時間情報との少なくとも一方に基づいて、移動通信装置１００を認証するか否かを判定できる。特典管理装置２００は、位置情報が予め定められた位置を示すか否かを判定してもよい。特典管理装置２００は、位置情報が予め定められた位置を示す場合に条件を満たすと判定してもよい。特典管理装置２００は、時間情報が予め定められた時間（時刻）を示すか否かを判定してもよい。特典管理装置２００は、時間情報が予め定められた時間を示す場合に条件を満たすと判定してもよい。
【００８９】
なお、予め定められた位置及び予め定められた時間を示す情報は、ステップＳ１１０におけるトリガ情報に含まれていてもよい。
【００９０】
特典管理装置２００は、条件を満たす場合に、移動通信装置１００を認証すると判定してもよい。特典管理装置２００は、条件を満たさない場合に、移動通信装置１００を認証しないと判定してもよい。
【００９１】
特典管理装置２００は、移動通信装置１００を認証したことに応じて、ステップＳ１７０の処理を実行する。特典管理装置２００は、移動通信装置１００を認証しなかったことに応じて、処理を終了してもよい。或いは、特典管理装置２００は、移動通信装置１００を認証しなかったことに応じて、特典情報を提供できないことを示す情報を移動通信装置１００へ送ってもよい。
【００９２】
ステップＳ１７０において、特典管理装置２００は、特典情報を移動通信装置１００へ通知する。
【００９３】
特典情報は、例えば、商品／サービスの提供に利用可能なポイントであってもよい。特典情報は、クーポンであってもよい。特典情報は、電子的に管理されるチケットであってもよい。
【００９４】
移動通信装置１００を保持するユーザは、特典情報に基づいて、商品／サービスの提供を受けることができる。ユーザは、特典情報により得られたポイントを利用して、商品を購入してもよい。ユーザは、特典情報により得られたクーポンをサービス提供者へ提示してもよい。
【００９５】
ステップＳ１８０において、特典管理装置２００は、装置情報（の少なくとも一部）を情報提供装置３００へ送ることができる。情報提供装置３００は、装置情報を受信できる。
【００９６】
以上のように、移動通信装置１００は、移動通信装置１００の動きの検知及び所定信号の受信に応じて、特典管理装置２００へ特典情報の要求を通知する。これにより、所定信号を受信できる地理的な位置に存在するだけの移動通信装置１００に対しては特典情報を提供しなくてすむと共に、特典情報を提供できる移動通信装置１００を地理的な位置により限定できる。ユーザは、所定信号を受信可能な位置に存在すれば、移動通信装置１００を物理的に動かすことにより、特典情報を取得可能である。ユーザは、移動通信装置１００に対してユーザインターフェイス１５０に入力操作しなくても、特典管理装置２００へ特典情報の要求を通知することが可能となり、ユーザの利便性を向上することができる。
【００９７】
例えば、移動通信装置１００を有するユーザは、所定の場所（例えば、観光地、博物館、イベント会場など）において、移動通信装置１００を動かすことにより、特典情報の要求を通知することができる。移動通信装置１００が特典情報を取得する際に、特典情報を提供するスポンサーの広告がユーザインターフェイスに表示されてもよく、音声により出力されてもよい。特典情報は、広告に関する情報を含んでいてもよい。これにより、特典情報を提供するスポンサーにもメリットが得られる。また、特典情報は、所定の場所に関する説明などの所定の場所で利用可能な情報を含んでいてもよい。これにより、ユーザは、特典情報を取得するメリットが向上する。
【００９８】
（動作例２）
動作例２について、図４を用いて説明する。図４は、実施形態に係る動作例２を説明するためのシーケンス図である。上述と同様の説明は、省略する。
【００９９】
動作例２では、図４に示すように、ステップＳ２１０において、移動通信装置１００が（事前に）登録手続を実行する。移動通信装置１００は、所定のアプリケーションをダウンロードする際に、登録手続を実行してもよい。移動通信装置１００は、所定のアプリケーションをダウンロードした後に、所定のアプリケーションを起動したことに応じて、登録手続を実行してもよい。
【０１００】
登録手続において、移動通信装置１００は、ユーザ（及び／又は移動通信装置１００）の情報を登録情報として特典管理装置２００へ通知する。移動通信装置１００は、特典管理装置２００から要求されたユーザの情報を特典管理装置２００へ通知してもよい。
【０１０１】
ユーザの情報は、例えば、ユーザの氏名、ユーザの年齢、ユーザの性別、ユーザが登録管理装置２００へアクセスするために必要なパスワードなどを含む。
【０１０２】
特典管理装置２００は、移動通信装置１００から受信したユーザの情報を登録する。特典管理装置２００は、ユーザの情報を登録する際に、ユーザを識別するための識別子（登録ＩＤ）をユーザ（移動通信装置１００）に割り当ててもよい。特典管理装置２００は、登録情報を記憶する。特典管理装置２００は、登録されたユーザを管理するための管理テーブル（データベース）に登録情報を記憶してもよい。
【０１０３】
登録情報は、例えば、ユーザの氏名、ユーザの年齢、ユーザの性別、移動通信装置１００（又はユーザ）の識別子（例えば、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）、ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｆｉｅｒ）、ＭＥＩＤ（Ｍｏｂｉｌｅ  Ｅｑｕｉｐｍｅｎｔ  Ｉｄｅｎｔｉｆｉｅｒ）の少なくともいずれかの識別子）、移動通信装置１００に装着されるＳＩＭ（Ｓｕｂｓｃｒｉｂｅｒ  Ｉｄｅｎｔｉｔｙ  Ｍｏｄｕｌｅ）又はｅＳＩＭ（Ｅｍｂｅｄｄｅｄ  Ｓｕｂｓｃｒｉｂｅｒ  Ｉｄｅｎｔｉｔｙ  Ｍｏｄｕｌｅ））の識別子（例えばＩＣＣＩＤ：Ｉｎｔｅｇｒａｔｅｄ  Ｃｉｒｃｕｉｔ  Ｃａｒｄ  ＩＤ）、移動通信装置１００のＭＡＣ（Ｍｅｄｉａ  Ａｃｃｅｓｓ  Ｃｏｎｔｒｏｌ  ａｄｄｒｅｓｓ）アドレス（例えば、ＷｉＦｉ  ＭＡＣアドレス）、登録ＩＤ、パスワードの少なくともいずれかの情報を含む。
【０１０４】
ステップＳ２２０からＳ２９０は、ステップＳ１１０からＳ１８０に対応する。
【０１０５】
ステップＳ２３０において、特典管理装置２００は、登録されている移動通信装置１００（ユーザ）に対して、トリガ情報を送ってもよい。
【０１０６】
ステップＳ２７０において、特典管理装置２００は、移動通信装置１００が登録されていない場合には、所定情報が認証用の情報と一致していたとしても、移動通信装置１００を認証しないと判定してもよい。特典管理装置２００は、移動通信装置１００が登録されているか否かにかかわらず、所定情報が認証用の情報と一致していた場合には、移動通信装置１００を認証すると判定してもよい。
【０１０７】
ステップＳ２８０において、特典管理装置２００は、移動通信装置１００が登録されていない場合には、特典情報を送信する代わりに、登録手続を要求してもよい。特典管理装置２００は、登録手続の完了に応じて、特典情報を送信してもよい。
【０１０８】
特典管理装置２００は、移動通信装置１００が登録されていない場合であっても、特典情報を移動通信装置１００へ送信してもよい。この場合、特典情報は、移動通信装置１００が登録されたことに応じて利用可能であってもよい。
【０１０９】
特典管理装置２００は、ユーザ又は移動通信装置１００に応じて、移動通信装置１００が登録されていない場合であっても、特典情報を送信するか否かを判定してもよい。例えば、特典管理装置２００は、ユーザデータに基づいて、外国から訪問したユーザであると判定した場合には、特典情報を移動通信装置１００へ送信してもよい。そうでない場合には、特典管理装置２００は、特典情報を移動通信装置１００へ送信しなくてもよい。このように、特典管理装置２００は、登録手続が実行されていないユーザ（移動通信装置１００）に対して、ユーザデータに応じて、特典情報を送信するか否かを判定してもよい。
【０１１０】
（動作例３）
動作例３について、図５を用いて説明する。図５は、実施形態に係る動作例３を説明するためのシーケンス図である。上述と同様の説明は、省略する。
【０１１１】
動作例３では、移動通信装置１００は、ユーザ管理装置５００と登録手続を実行するケースである。
【０１１２】
図５に示すように、ステップＳ３１０において、移動通信装置１００は、ユーザ管理装置５００と登録手続を実行する。
【０１１３】
ステップＳ３２０において、移動通信装置１００は、認証要求をユーザ管理装置５００へ送信してもよい。移動通信装置１００は、所定のアプリケーションが起動されることに応じて、認証要求をユーザ管理装置５００へ送信してもよい。移動通信装置１００は、所定のアプリケーションにおけるユーザのログイン操作に応じて、認証要求をユーザ管理装置５００へ送信してもよい。
【０１１４】
ユーザ管理装置５００は、ユーザ（移動通信装置１００）を認証するか否かを判定する。ユーザ管理装置５００は、登録手続が実行されている場合には、ユーザを認証すると判定する。ユーザ管理装置５００は、登録手続が実行されていない場合には、ユーザを認証しないと判定する。ユーザ管理装置５００は、ユーザを認証しないと判定した場合、登録手続を要求するための情報を移動通信装置１００へ送ってもよい。移動通信装置１００は、当該要求に応じて、登録手続を実行してもよい。
【０１１５】
ステップＳ３３０において、ユーザを認証した場合には、ユーザ管理装置５００は、スタンバイ情報を移動通信装置１００へ送ってもよい。スタンバイ情報は、移動通信装置１００が所定信号を受信するためのスタンバイを促す情報を含む。例えば、スタンバイ情報は、トリガ情報であってもよい。移動通信装置１００は、スタンバイ情報の受信に応じて、所定信号を受信するためのモニタを開始してもよい。移動通信装置１００は、スタンバイ情報の受信に応じて、スタンバイ状態に移行した後に、移動通信装置１００の動きを検知した場合に、特典情報の要求を送信できてもよい。移動通信装置１００は、スタンバイ情報の受信に応じて、スタンバイ状態に移行した場合に、特典情報の要求を送信できてもよい。移動通信装置１００は、スタンバイ情報を受信していない場合には、所定信号を受信しても、特典情報の要求ができなくてもよい。移動通信装置１００は、スタンバイ情報を受信していない場合には、移動通信装置１００の動きを検知しても、特典情報の要求ができなくてもよい。
【０１１６】
ステップＳ３２０及びＳ３３０は、省略されてもよい。
【０１１７】
ステップＳ３５０及びＳ３６０は、ステップＳ１４０及びＳ１５０と同様のステップである。なお、移動通信装置１００は、ユーザ管理装置５００に対して、特典情報の要求を通知する。
【０１１８】
ステップＳ３７０において、ユーザ管理装置５００は、ユーザ（移動通信装置１００）の認証を実行する。ユーザ管理装置５００は、特典情報の要求の送信元の移動通信装置１００（ユーザ）について登録手続が実行されている場合には、ステップＳ３８０の処理を行う。一方、ユーザ管理装置５００は、登録手続が実行されていない場合には、特典情報の要求が有効でないことを示す情報を送ってもよい。ユーザ管理装置５００は、登録手続を要求するための情報を移動通信装置１００へ送ってもよい。
【０１１９】
ステップＳ３８０において、ユーザ管理装置５００は、特典管理装置２００へ特典情報の要求を送る（転送する）。
【０１２０】
ステップＳ３９０からＳ４１０は、ステップＳ１６０からＳ１８０と同様のステップである。
【０１２１】
［その他実施形態］
上述した実施形態によって、本出願の内容を説明したが、この開示の一部をなす論述及び図面は、本出願の内容を限定するものであると理解すべきではない。この開示から当業者には様々な代替実施形態、実施例及び運用技術が明らかとなろう。
【０１２２】
特典情報の要求を通知するためのトリガ（条件）は、上述したものに限られない。例えば、車両内に位置する移動通信装置１００が当該車両の運転開始を検知したことに応じて、移動通信装置１００は、条件が満たされたと判定してもよい。移動通信装置１００は、車両の運転に伴う移動通信装置１００の動きを検知したことに応じて、車両の運転開始を検知してもよい。移動通信装置１００は、移動通信装置１００の位置の変化（速度）を検出したことに応じて、車両の運転開始を検知してもよい。
【０１２３】
特典管理装置２００は、分散型台帳技術を有する複数の特典管理装置により構成されてもよい。すなわち、複数の特典管理装置は、ブロックチェーンを用いて特典情報を管理共有してもよい。
【０１２４】
上述の特典管理装置２００における動作は、複数の管理装置により実行されてもよい。例えば、特典管理装置は、認証する際に、必要な情報をユーザ管理装置５００に問い合わせてもよい。
【０１２５】
上述において、特典管理装置２００から移動通信装置１００へのトリガ情報は送信されなくてもよい。
【０１２６】
上述した各動作例は、適宜組み合わされてもよい。
【０１２７】
上述した各シーケンスにおいて、必ずしも全ての動作が必須の構成ではない。例えば、各シーケンスにおいて、一部の動作のみが実行されてもよい。
【０１２８】
上述した実施形態では特に触れていないが、上述した各装置（移動通信装置１００、特典管理装置２００、情報提供装置３００、送信装置４００、ユーザ管理装置５００）のいずれかが行う各処理を実行させるプログラムが提供されてもよい。プログラムは、コンピュータ読取り可能媒体に記録されていてもよい。コンピュータ読取り可能媒体を用いれば、コンピュータにプログラムをインストールすることが可能である。プログラムが記録されたコンピュータ読取り可能媒体は、非一過性の記録媒体であってもよい。非一過性の記録媒体は、例えば、ＣＤ−ＲＯＭやＤＶＤ−ＲＯＭ等の記録媒体であってもよい。
【０１２９】
各装置のいずれかが行う各処理を実行するためのチップが提供されてもよい。チップは、プログラムを記憶するメモリ、及びメモリに記憶されたプログラムを実行するプロセッサによって構成されてもよい。
【図１】
2019082861.tif 000003
【図２】
2019082861.tif 000004
【図３】
2019082861.tif 000005
【図４】
2019082861.tif 000006
【図５】
2019082861.tif 000007